(57)【要約】【課題】ネットワークに接続可能な電子黒板装置において、電子黒板装置の設置場所とは異なる場所に設置されたプリンタによって、筆記情報を印刷する際、盗難や、他の利用者の印刷物に紛れ込んでしまうことを防止すること目的としている。【解決手段】本発明は、筆記画像を読み取り、その読み取った筆記画像データを送信可能な電子黒板装置であって、ネットワーク上のプリンタを選択する手段と、パスワードを設定するパスワード設定手段と、ネットワーク上のプリンタを選択した場合、前記筆記画像データとパスワードとを送信するネットワーク部とを有することを特徴としている。【選択図】    図２
2015192251.tif 000002
【特許請求の範囲】
【請求項１】
筆記画像を読み取り、その読み取った筆記画像データを送信可能な電子黒板装置であって、ネットワーク上のプリンタを選択する手段と、パスワードを設定するパスワード設定手段と、ネットワーク上のプリンタを選択した場合、前記筆記画像データとパスワードとを送信するネットワーク部とを有することを特徴とする電子黒板装置。
【請求項２】
前記パスワード設定手段は、パスワードの入力を受けて、このパスワードとは異なるパスワードを作成することを特徴とする請求項１項記載の電子黒板装置。
【請求項３】
前記パスワード設定手段は、２桁のパスワードの入力を受けて、予め定められた２桁を追加して４桁のパスワードを作成することを特徴とする請求項２項記載の電子黒板装置。
【請求項４】
更にＩＣカードリーダーを有し、前記ネットワーク上のプリンタを選択する手段とパスワードを設定するパスワード設定手段をＩＣカードに設けたことを特徴とする請求項１項記載の電子黒板装置。
【発明の詳細な説明】
【技術分野】
【０００１】
本発明は、電子黒板装置等であって、特にこの電子黒板装置を設置した場所以外の場所に設置されたプリンタに、ネットワークを介して筆記データを送信可能な電子黒板装置に関するものである。
【背景技術】
【０００２】
電子黒板装置は、白色の筆記面に、マーカーで文字や図形を筆記すると共に、この筆記した表面を光学センサーにて画像情報として読み取り、読み取った画像情報を縮小して紙に印刷し、或いは記録する機能を有することを特徴としている。
【０００３】
特開２００６−２０９７３６号には、電子黒板装置をネットワークに接続し、電子黒板装置でスキャンした画像データを記憶装置に記録すると共に、権限が与えられたユーザーにのみ、記録された画像データの閲覧を認める文書管理装置が示されている。
また、特開２０００−４３２１号には、電子黒板装置をネットワークに接続し、筆記画像データを指定した送り先アドレスに、メール送信する技術が示されている。
【０００４】
【特許文献１】特開２００６−２０９７３６号
【特許文献２】特開２０００−４３２１号
【発明の開示】
【発明が解決しようとする課題】
【０００５】
電子黒板装置がネットワークに接続された場合、その筆記画像をその電子黒板装置の設置してある場所とは異なる場所のプリンタにより印刷する場合が生じる。
このような場合、利用者がその印刷物を取りにいく間に、盗難にあったり、またプリンタの他の利用者の印刷物に紛れてしまうことがある。
特にその筆記画像が機密情報にかかる場合に問題となる。
【０００６】
本発明においては、このような問題を解決するために、ネットワーク上のプリンタに筆記情報を出力する場合、パスワードを設定することにより、プリンタにパスワードを入力した場合のみ、印刷できるようにして、印刷物の盗難や、他の印刷物への混入を防止するものである。
【課題を解決するための手段】
【０００７】
上記課題を解決するため、本発明は請求項１に記載するように、        筆記画像を読み取り、その読み取った筆記画像データを送信可能な電子黒板装置であって、ネットワーク上のプリンタを選択する手段と、パスワードを設定するパスワード設定手段と、ネットワーク上のプリンタを選択した場合、前記筆記画像データとパスワードとを送信するネットワーク部とを有することを特徴としている。
【０００８】
また、請求項２に記載するように、前記パスワード設定手段は、パスワードの入力を受けて、このパスワードとは異なるパスワードを作成することを特徴としている。
更に、請求項３に記載するように、前記パスワード設定手段は、２桁のパスワードの入力を受けて、予め定められた２桁を追加して４桁のパスワードを作成することを特徴としている。
更に、請求項４に記載するように、ＩＣカードリーダーを有し、前記ネットワーク上のプリンタを選択する手段とパスワードを設定するパスワード設定手段をＩＣカードに設けたことを特徴としている。
【発明の効果】
【０００９】
本発明によれば、ネットワーク上のプリンタによって、電子黒板装置によって読み取られた筆記画像を印刷する場合、パスワードを設定することによって、印刷物の盗難や他のプリントへの紛れ込みを防止することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例の電子黒板装置について説明する。
図１は本発明の一実施例の電子黒板を用いたシステムを説明するための概念図である。
１はネットワーク接続機能を有する電子黒板装置であり、２はこの電子黒板装置の筆記面、３は非接触でＩＣカードの記録データを読み取るＩＣカードリーダー、４は近距離無線通信機能を有するＩＣカード、５は手動で筆記面の読み込みやデータ送信、印刷などの操作を行う操作パネル、６は筆記面の読取や、読み取った筆記画像データの記録やネットワークへの送信などの処理を行う情報処理装置である。
【００１２】
７は電子黒板装置１の筆記情報を印刷するためのネットワークプリンタであり、電子黒板装置１とＬＡＮ回線でネットワーク接続されている。
操作パネル５に設けられたネットワークプリンタ７を選択するボタンをオンにして、パスワードを設定した後、実行ボタンを押すことによって、電子黒板装置１の筆記画像データは、このネットワークプリンタ７に送信される。
【００１３】
８は電子黒板装置１とＬＡＮ回線でネットワーク接続された情報記録装置である。
電子黒板装置１には、読み取った筆記画像データを記録、保存しておく記憶媒体（以下メモリ部という。）を有すると共に、ネットワーク接続された情報記録装置８にアクセスすることによって、この情報記録装置８の所定のＵＲＬアドレスにデータを記録する。
この情報記録装置８に記録された筆記画像データは、ネットワークに接続された図示しない他のパソコンによって、ＵＲＬアドレスを指定して読み出される。
【００１４】
情報処理装置６の構成を図２に示す。
情報処理装置６は、ＩＣカード４がＩＣカードリーダー３に所定の距離だけ接近した場合に、このＩＣカード４に記録されたデータを読み出すＩＣカードリーダー３、電子黒板装置１の諸機能を制御する制御部１０、筆記面に筆記された画像を読み取り装置で読み込むスキャン処理部１１、筆記画像データを記録するメモリ部１２、及び筆記画像データをネットワーププリンタ７や情報記録装置８に送信するネットワーク部１３、筆記画像データの保存やプリンタを操作する操作ボタン１５、及びパスワード設定手段８より構成される。
【００１５】
ＩＣカード４を、ＩＣカードリーダー３にかざすと、ＩＣカードリーダー３は、ＩＣカード４に電磁誘導によって電力を供給し、ＩＣカード４とＩＣカードリーダー３とで無線通信が開始される。
無線通信が開始されると、ＩＣカード４に記録された認証データ及び送信先アドレスデータがＩＣカードリーダー３に読み取られ、認証が行われる。
正しい認証番号であることが確認された場合、ＩＣカードリーダー３は制御部１０にスキャン開始信号を出力する。
制御部１０は、スキャン開始信号に基づいて、スキャン処理部１１にスキャン制御信号を出力すると共に、筆記シートを移送する。
スキャン処理部１１では、読取装置が筆記シートの移送に応じて、この筆記シート面を走査し筆記画像を読み取る。
【００１６】
このスキャン部１１は、照明装置と読取装置からなる。
読取装置は、光源及び導光体からなる照明装置と、光センサー素子が縦方向に配置された光センサーブロックを３つ縦方向に配置した光センサーアレイからなっている。各光センサーブロックのそれぞれの出力は、アナログスイッチに接続されている。
そして、３つの光センサーブロックに接続された、３つのアナログスイッチの出力が制御部１０に接続されている。
一方照明装置の光源は、ＬＥＤドライバーに接続されている。
【００１７】
照明装置の光源には、赤色発光ＬＥＤ、青色発光ＬＥＤ、及び緑色発光ＬＥＤが配置されており、これらの各ＬＥＤは、ＬＥＤドライバーによって、交互に発光させられ、その光が導光体に入射され、この導光体に隣接して配置された筆記面２は縦方向短冊状に均一に照らされる。
この照明装置によって均一に照らされた筆記面上の筆記は、ここに隣接して配置された光センサーアレイの夫々の光センサー素子で読み取られる。
上述の、ＩＣカード４の認証がされた場合、上記の筆記面２が移送され、その移送に同期して、筆記面２上の筆記が前述の読取装置によって順次読み取られる。
筆記面一面分の読み取りが完了すると、筆記面２の移送は停止する。
【００１８】
読み取られたアナログの筆記画像出力は、前述の読取装置に設けられた赤色、青色、緑色の各ＬＥＤの点灯に同期して、発光色毎に順次、アナログ・デジタル変換手段でデジタル化される。尚アナログ出力は、白色での反射時に最高２．５ボルトとなる信号である。
このデジタル化された読取データは、メモリ部１２に転送され記録されると共に、ネットワーク部１３を介して情報記録装置８に送信される。
尚、通常の電子黒板装置の場合は、縦２０００＊横３０００の読取データが作成される。
【００１９】
尚、情報記録装置８はＦＴＰサーバであり、ＩＣカード４に記録されたＵＲＬのアドレスで指定された領域毎に、筆記画像データが記録される。
この筆記画像データの利用者は、ＵＲＬアドレスを指定することによって、記録された画像データを見ることが可能となる。
【００２０】
この認証用データ及び、送信先のＵＲＬアドレスは、暗号化されてＩＣカード４に記録されている。このため、ＩＣカードリーダー３には暗号のデコーダが内臓されている。このように、認証用データ及び送信先のＵＲＬのアドレスが暗号化されているため、例えばＩＣカード４が盗難にあった場合であっても、認証用データ及び、送信先のＵＲＬアドレスの解読は不可能であり、筆記画像データの安全性が確保される。
また、ＩＣカード４をかざすだけで、所定の保存先に画像データを送信し記録できるため、誤って間違った場所に送信することはない。
また、ＩＣカード４で送信先が決定されるため、複数の場所に設置された電子黒板装置を利用しても、その筆記画像データは、常に所定の同じ場所に送信、記録することが可能となる。
【００２１】
尚、ＩＣカード４を持たない利用者のために、図３に示すような操作パネル５も設けられている。
この操作パネル５に設けられたテンキー１４によって、送信先認証番号を入力することにより、認証を行い、メモリ部１２に記録された送信先アドレスにデータを送信して記録する。
また、この操作パネル５に設けられた操作ボタン１５を操作することにより、図示しないモーターが駆動され、筆記面２はフィードされると共に、電子黒板装置１の側面に配置された読取装置によって、筆記面の筆記が読み取られる。
印刷用の操作ボタン１５である本体プリンタボタン１５を操作した場合は、読み取られた筆記画像データは、出力インタフェースから、図示しないプリンタに送られＡ４サイズの用紙に印刷される。
【００２２】
ネットワークプリンタボタン１５を押した場合は、パスワード入力の待ち状態となる
ここで、パスワード設定手段のテンキー１４によって、利用者が任意に２桁の番号を入力すると、この２桁の番号の前に００という２桁の番号を追加した４桁のパスワードが作成される。
この２桁のパスワードを入力した後、実行ボタン１６を押すと、前述と同様の動作が行われ、筆記面の筆記画像が読み取られる。その後、ネットワークプリンタ７に読み取られた読取データと、パスワード設定手段によって設定された４桁のパスワードが送信される。
この場合、利用者がネットワークプリンタ７において、前述の４桁のパスワードを入力することで、印刷が開始される。
【００２３】
ネットワープリンタ７では、その操作パネルにおいて、先の２桁のパスワードの番号の前に００という２桁の番号を加えた４桁の番号をパスワードとして入力する。
電子黒板装置１側では２桁のパスワードとすることで、４桁のパスワードを入力するよりも、暗記するのが容易となり、何らかの事情によって、一定時間経過後に印刷しなければならないような場合にも、パスワードを忘れるようなことがなくなる。
また、ネットワークプリンタ７側でのパスワードの入力を４桁とすることで、２桁のパスワードとするよりも秘密性が高まり、かつ固定された数字００を加えて入力するだけでよいため、パスワード忘れを防止できる。
【００２４】
尚、ネットワークプリンタ７にＩＣカードリーダーが設けられている場合は、先のＩＣカード４に、ネットワープリンタ７のＵＲＬ及び、パスワードを記録してもよい。
この場合は、ＩＣカード４をＩＣカードリーダー３にかざすと、筆記面の筆記画像が読み取られ、この筆記画像データとＩＣカード４に記録されたパスワードが、ネットワークプリンタ７に送信される。
その後、利用者がネットワークプリンタ７のＩＣカードリーダーにＩＣカード４をかざすことで、印刷が開始される。
【００２５】
また、着脱式のＵＳＢメモリへの記録用の操作ボタン１５である保存ボタン１５を操作した場合は、出力インタフェースから、図示しないＵＳＢメモリへ、前記画像処理された筆記画像データが転送され記録される。
また、ネットボタン１５を押して、保存先のアドレスを入力した場合は、ネットワークを介して、情報記録装置８に筆記画像データが送信される。
【００２６】
尚、図示しないが、この電子黒板装置１の出力インターフェース１６には、プリンタ接続用の接続端子、パソコン接続用の接続端子を設けてもよい。
【００２７】
本発明は、上記の実施例に限定されるものではなく、例えば、情報記録装置は、パーソナルコンピュータやファイルサーバの共有エリアでもよい。また、ＩＣカードの送信先データは、メールの自動送信先であってもよい。
また、パスワードの桁数等も種々変更が可能である。
例えば、電子黒板装置で２桁を設定して、プリンタ側では、その２桁を繰り返して４桁にして入力するように設定してもよい。
また、通常のパスワードのように、電子黒板装置で４桁設定して、プリンタでその４桁を入力するようにしてもよい。
また、上記実施例では筆記面を移送可能な筆記面としたが、電子ペンを用いたインタラクティブボードのシステムであってもよい。
【産業上の利用可能性】
【００２８】
本発明は、会社の会議室や公共施設のホール、或いは学校の教室などで利用される電子黒板装置として用いることが可能である。
【図面の簡単な説明】
【００２９】
【図１】図１は、本発明の実施例のシステム構成を示す図である。
【図２】図２は、本発明の実施例の制御装置を示すブロック図である。
【図３】図３は、本発明の実施例の操作パネルを示す正面図である。
【符号の説明】
【００３０】
１：電子黒板装置
３：ＩＣカードリーダー
４：ＩＣカード
５：操作パネル
６：情報処理装置
７：プリンタ
８：パスワード設定手段
１３：ネットワーク部
１５：操作ボタン（ネットワーク上のプリンタを選択する手段）
【図１】
2015192251.tif 000003
【図２】
2015192251.tif 000004
【図３】
2015192251.tif 000005